(57)【要約】【課題】  組み付けが容易であって、耐振動性や耐久性を高めることができ、磁石と磁気センサの間の隙間の調整が容易である、ツインクラッチ式マニュアルトランスミッションのシフトフォークの位置検知装置を提案する。【解決手段】  ツインクラッチ式マニュアルトランスミッションの同期噛合機構を成すカップリングスリーブ２の外周条溝３に係合されて、該カップリングスリーブ２をカップリングスリーブ２の軸線方向に変位させるシフトフォーク１に連結されて当該シフトフォーク１を変位させるアクチュエータ５において、  当該アクチュエータ５の作動子６に磁石７を設け、当該磁石７に対応する磁気センサ８を当該アクチュエータの本体９に設けてなる。【選択図】図１
2006029441.tif 000002
【特許請求の範囲】
【請求項１】
ツインクラッチ式マニュアルトランスミッションの同期噛合機構を成すカップリングスリーブの外周条溝に係合されて、該カップリングスリーブをカップリングスリーブの軸線方向に変位させるシフトフォークに連結されて当該シフトフォークを変位させるアクチュエータにおいて、
当該アクチュエータの作動子に磁石を設け、当該磁石に対応する磁気センサを当該アクチュエータの本体に設けてなるシフトフォークの位置検知装置。
【請求項２】
前記磁石を該作動子の外周に環状に設けてなる請求項１に記載のシフトフォークの位置検知装置。
【請求項３】
前記磁石を該作動子の軸線方向両端面に設け、前記磁気センサをアクチュエータの本体の前記両端面に対向する面に設けてなる請求項１に記載のシフトフォークの位置検知装置。
【請求項４】
前記作動子を円柱状とし、前記磁石を該作動子の外周上の磁気センサに対向する位置に設け、該作動子およびアクチュエータの本体に、作動子が本体に対して回動不能となるように周り止め手段を設けてなる請求項１に記載のシフトフォークの位置検知装置。
【発明の詳細な説明】
【技術分野】
【０００１】
本発明は、エンジンとマニュアルトランスミッションとの間に、グループ分けした変速段別の自動クラッチを具え、これら自動クラッチの締結・解放切り替え（掛け替え制御）と、両変速段グループ間での変速段の交互選択とにより自動変速を行わせるのに有用な、所謂ツインクラッチ式マニュアルトランスミッションにおける、シフトフォークの位置検知装置に関するものである。
【背景技術】
【０００２】
かかるツインクラッチ式マニュアルトランスミッションとしては従来、例えば特許文献１に記載のように、個々の自動クラッチを介してエンジン回転を選択的に入力される第１入力軸および第２入力軸を具え、第２入力軸を中空として第１入力軸上に回転自在に嵌合し、第１入力軸をエンジンから遠い第２入力軸の後端より突出させ、この突出した第１入力軸の後端部と、第１および第２入力軸に並置したカウンターシャフトとの間に、グループ分けした偶数変速段グループの歯車組をそれぞれ同期噛合機構により適宜伝動可能に設け、第２入力軸およびカウンターシャフト間に、グループ分けした奇数変速段グループの歯車組をそれぞれ同期噛合機構により適宜伝動可能に設け、選択変速段に応じた変速後の回転を、エンジンに近いカウンターシャフトの前端から径方向に取り出すようにしたツインクラッチ式マニュアルトランスミッションが知られている。
【０００３】
かかるツインクラッチ式マニュアルトランスミッションの場合、一方の変速段グループにおける変速段を選択すると共に対応する自動クラッチを締結させた状態では、他方の変速段グループにおける何れの変速段も選択させないようにし、変速に当たっては、該他方の変速段グループにおける変速段をそれに対応する同期噛合機構により選択し、対応する自動クラッチを解放した状態で、上記一方の変速段グループに係わる自動クラッチを解放すると共に、上記他方の変速段グループに係わる自動クラッチを締結する、所謂クラッチの掛け替え制御と、両変速段グループ間での変速段の交互選択とにより自動変速を行わせることができ、マニュアルトランスミッションでありながらその自動変速化が可能となる。
【０００４】
それに用いられるシフトフォークは、図４〜６に示すように、同期噛合機構５１のカップリングスリーブ５２に設けた円環状の外周条溝５３を、その半周に亘って跨るシフトフォークの本体５４と、当該外周条溝５３に係合されて当該カップリングスリーブを把持する係合片５５とからなるものが広く用いられている。
このようなシフトフォーク５６は、シフトフォークの本体５４がシフトシャフト５７に摺動可能に連結されて、シフトフォーク５６をシフトシャフト５７の軸線方向に、シフトフォーク５６に連結されたアクチュエータ５８を駆動源として変位させることにより、前記同期噛合機構５１のカップリングスリーブ５２を軸線方向に移動させて、図７に示す、シンクロナイザリング５９の同期作用のもと、カップリングスリーブ５２の内周に設けたスプライン部と、カウンターシャフトおよび入力軸に設けたいずれかの速度段の歯車組のクラッチギア６０または６１とを係合して、いずれかの速度段の歯車組を選択することができる。
【特許文献１】特開平８−３２００５４号公報
【発明の開示】
【発明が解決しようとする課題】
【０００５】
このようなツインクラッチ式マニュアルトランスミッションを自動変速化するためには、前記シフトフォーク５６のシフトシャフト５７の軸線方向の変位を検知する必要があり、従来は、その検知のための磁石７２は、図６に示すように、シフトフォーク５６のシフトシャフト５７への結合部分に突出させて設けたブラケット６３に設け、その磁石７２に対応する磁気センサ６４を、トランスミッションのいずれかの位置、ここでは図示しないケースの内壁にこれも図示しないブラケットを介して、磁石７２に対向させて設ける必要があった。
【０００６】
ところが、このような形態のシフトフォークの位置検知装置では、磁石７２を支持するブラケット６３のシフトフォークへの組み付け、および磁気センサ６４のケースへの組み付けが困難であり、シフトフォーク５６にブラケット６３を介して磁石７２を設けるにあたり、ブラケット６３の振動に起因して磁石７２のブラケット６３への支持剛性が低下したり、ブラケット６３自体の耐久性が低下したり、ブラケット６３をシフトフォーク５６に対してネジ６５により締結しているような場合はそのネジ６５による締結部分の耐久性が低下したりするおそれがあった。さらに、磁石７２をシフトフォーク５６に、磁気センサ８４をケースに設けていたので、磁石７２と磁気センサ６４との間の隙間の調整が困難であるという問題点もあった。
【０００７】
そこで本発明では、上記の課題を解決することを目的とし、組み付けが容易であって、磁石の支持剛性を高めることができ、磁石と磁気センサの間の隙間の調整が容易である、ツインクラッチ式マニュアルトランスミッションのシフトフォークの位置検知装置を提案するものである。
【課題を解決するための手段】
【０００８】
請求項１に記載のシフトフォークの位置検知装置は、ツインクラッチ式マニュアルトランスミッションの同期噛合機構を成すカップリングスリーブの外周条溝に係合されて、該カップリングスリーブをカップリングスリーブの軸線方向に変位させるシフトフォークに連結されて当該シフトフォークを変位させるアクチュエータにおいて、
当該アクチュエータの作動子に磁石を設け、当該磁石に対応する磁気センサを当該アクチュエータの本体に設けてなることを特徴とするものである。
【発明の効果】
【０００９】
請求項１に記載のシフトフォークの位置検知装置によれば、アクチュエータを構成する作動子に、磁石を設けることにより、磁石を設けるためのブラケットを省略することができ、従来技術で問題となった、ブラケットの振動による磁石のブラケットによる支持剛性の低下、ブラケットそのものの耐久性の低下、ブラケットをシフトフォークに固定するネジ部分の耐久性の低下を防止し、ブラケットのシフトフォークへの組み付けの困難を廃することができる。また、磁気センサをアクチュエータの本体に設けることにより、磁気センサの組み付けをも容易にし、作動子に設けた磁石との隙間の調整を容易なものとすることができる。
【発明を実施するための最良の形態】
【００１０】
以下、本発明の実施の形態を、図面に示す実施例に基づき詳細に説明する。
図１は、本発明の一実施例になるツインクラッチ式マニュアルトランスミッションの同期噛合機構のシフトフォークの位置検知装置の態様を示す模式図である。
【００１１】
図中１は、シフトフォークを示し、当該シフトフォーク１は、ツインクラッチ式マニュアルトランスミッションの同期噛合機構を成すカップリングスリーブ２の外周条溝３に係合されるとともに、カップリングスリーブ２の中心軸線に平行に設けたシフトシャフト４に前記中心軸線方向に摺動自在に連結され、シフトフォーク１に連結されてシフトフォーク１を前記中心軸線方向に変位させるアクチュエータ５を設け、
当該アクチュエータ５の作動子６のシフトフォーク１への連結部分６ａに隣接する二つの部分に環状に磁石７を表面に露出させる形態にて埋め込んで設け、当該磁石７に対応する磁気センサ８を当該アクチュエータ５の本体９に図示しないブラケットを介して、作動子６の連結部分６ａに対向させて設けている。（請求項１および２に相当）
アクチュエータ５の本体９と作動子６との間には、二つの油圧室１０、１１が形成され、この油圧室１０、１１の間を相互に油を行き来させることにより、作動子６は図中左右方向に駆動される。
ここではアクチュエータ５は油圧式のものを用いているがもちろんそれに限定されるものではない。
【００１２】
アクチュエータ５を構成する作動子６に、磁石７を設けることにより、磁石７をシフトフォークに設けるためのブラケットを省略することができ、従来技術で問題となったブラケットの振動に起因する磁石のブラケットによる支持剛性の低下、ブラケットそのものの耐久性の低下、ブラケットをシフトフォークに固定するネジによる締結部分の耐久性の低下を防止して、ブラケットのシフトフォークへの組み付けの困難を廃することができる。また、磁気センサ８をアクチュエータ５の本体９に設けることにより、磁気センサ８の組み付けをも容易にし、作動子６に設けた磁石７との隙間の調整を容易なものとすることができる。
【００１３】
さらに、磁石７を作動子６に対して環状に設けることにより、作動子６が円柱状をなす場合に、作動子６がアクチュエータ５の本体９に対して回転した場合でも、磁石７と磁気センサ８との隙間を所定の範囲とするとともに、磁石７に対して磁気センサを常に対向させることができるため、位置検知精度を高めることができる。
【００１４】
図２は、本発明の他の実施例になるツインクラッチ式マニュアルトランスミッションの同期噛合機構のシフトフォークの位置検知装置の態様を部分的に拡大して示す模式図である。
図中１はシフトフォークを示し、シフトフォーク１はアクチュエータ５の作動子６に連結され、作動子６の軸線方向両端面６ａ、６ｂに磁石７をそれぞれ両端面６ａ、６ｂに露出させる形態にて埋め込んで設け、磁気センサ８を、アクチュエータ５の本体９の、前記両端面６ａ、６ｂに対向する面９ａ、９ｂに露出または近接させる形態にて設ける。（請求項３に相当）
【００１５】
このような形態にて、磁石７および磁気センサ８を設けることにより、磁気センサ８をアクチュエータ５の本体９に設けるための、図示しないブラケットを廃することができ、
磁気センサ８の組み付けをより容易なものとし、磁気センサ８の取り付け剛性を高めることができる。
【００１６】
図３は、本発明のさらに他の実施例になるツインクラッチ式マニュアルトランスミッションの同期噛合機構のシフトフォークの位置検知装置の態様を、作動子と磁石および磁気センサのみを部分的に拡大して示す模式図である。
ここでは、アクチュエータ５の作動子６は円柱状であることを前提とし、磁石７を作動子６のシフトフォーク１への連結部分６ａに隣接する二つの部分の外周上の、磁気センサ８に対向する位置に表面を露出させる形態にて埋め込んで設け、作動子６にはその軸線方向に延びる突条または溝１２を設け、図示しないアクチュエータの本体の内周面には、突条または溝１２に対応する溝または突条を設け、作動子６が本体９に対して周方向に回動不能とする周り止め手段たる雌雄嵌合部を構成している。（請求項４に相当）
【００１７】
このような構成とすることにより、作動子６の外周面の磁気センサ８に対向する位置のみに磁石を設けることが可能となり、図１に示した構成に比して、磁石７を小型のものとすることができるとともに、作動子６を切削加工して、磁石７を埋め込んで設ける工数を減らすことができる。
【００１８】
なお、本発明は、上記実施の形態にのみ限定されるものではなく、幾多の変形または変更が可能である。
【図面の簡単な説明】
【００１９】
【図１】本発明の一実施例になるツインクラッチ式マニュアルトランスミッションの同期噛合機構のシフトフォークの位置検知装置を示す模式図である。
【図２】本発明の他の実施例になるツインクラッチ式マニュアルトランスミッションの同期噛合機構のシフトフォークの位置検知装置の一部を拡大して示す模式図である。
【図３】本発明の他の実施例になるツインクラッチ式マニュアルトランスミッションの同期噛合機構のシフトフォークの位置検知装置の一部を拡大して示す模式図である。
【図４】従来のツインクラッチ式マニュアルトランスミッションの同期噛合機構のシフトフォークの位置検知装置を示す模式図である。
【図５】従来のツインクラッチ式マニュアルトランスミッションの同期噛合機構のシフトフォークの位置検知装置を示す模式図である。
【図６】従来のツインクラッチ式マニュアルトランスミッションの同期噛合機構のシフトフォークの位置検知装置を示す模式図である。
【図７】ツインクラッチ式マニュアルトランスミッションの同期噛合機構の一般的な構成を示す模式図である。
【符号の説明】
【００２０】
１  シフトフォーク
２  カップリングスリーブ
３  外周条溝
４  シフトシャフト
５  アクチュエータ
６  作動子
７  磁石
８  磁気センサ
９  本体
１０  油圧室
１１  油圧室
１２  突条または溝
【図１】
2006029441.tif 000003
【図２】
2006029441.tif 000004
【図３】
2006029441.tif 000005
【図４】
2006029441.tif 000006
【図５】
2006029441.tif 000007
【図６】
2006029441.tif 000008
【図７】
2006029441.tif 000009